(57)【要約】【課題】  ペダルを踏み込む際の踏み込み強さを演奏者が容易に調整できるピアノのペダル装置を提供することを目的とする。【解決手段】  踏み込み動作に抗する荷重をペダルレバー５に加えるようにペダルレバー５と棚板２との間にレバースプリング１１を備えたペダル装置１において、ペダルレバー５に設置されたスライドレール１４、スライドレール１４に沿ってスライド可能にスライドレール１４に係合したスライド部材１５、スライド部材１５に螺合し、支持部５ｃ、５ｄに回転自在に支持された回転シャフト１６等を備え、レバースプリング１１の一端を棚板２に当接させると共に、レバースプリング１１の他端をスライド部材１５に係合させ、回転シャフト１６を回転させることによって、スライド部材１５をスライドレール１４に沿ってスライドさせ、レバースプリング１１を移動させる。【選択図】図１
2005107107.tif 000002
【特許請求の範囲】
【請求項１】
軸方向の一端側又は中間部が、ピアノ本体に支持された回転軸に回動自在に係合し、軸方向の他端側がピアノの上下方向に揺動するペダルレバーと、
該ペダルレバーの他端側に連結され、演奏者の踏み込み動作により該ペダルレバーの他端側を上方向に揺動させるペダルと、
前記演奏者の踏み込み動作に抗する荷重を該ペダルレバーに加えるように該ペダルレバーと該ピアノ本体との間に装着されたレバースプリングと、
を備え、前記演奏者の前記ペダルの踏み込み動作に伴って、前記ペダルレバーを介して、前記レバースプリングの荷重が前記ペダルに伝達されるピアノのペダル装置において、
前記ペダルレバーの軸方向に沿って該ペダルレバーに設置されたスライドレールと、
該スライドレールに沿ってスライド可能に、該スライドレールに係合されたスライド部材と、
を備え、
前記レバースプリングは、一端が前記ペダルレバーの軸方向に沿ってスライド自在にピアノ本体に当接し、他端側が前記スライド部材に連結され、
外部より操作され、前記スライド部材をスライドレールに沿ってスライドさせ、前記レバースプリングをペダルレバーの軸方向に移動させるためのスライド手段を備える、
ことを特徴とするピアノのペダル装置。
【請求項２】
前記スライド手段は、
前記スライド部材に該スライド部材のスライド方向に貫通するように設けられた雌ネジ部と、前記スライドレールに沿って配設され、前記雌ネジに螺合する雄ネジが軸方向に沿って外周面に形成されて軸の両端が前記ペダルレバーに回転自在に支持された回転シャフトと、を備え、前記回転シャフトを回転させることによって、前記スライド部材をスライドさせるように構成されている、
ことを特徴とする請求項１に記載のピアノのペダル装置。
【請求項３】
前記スライド手段は、
前記一端側が、当該スライド部材をスライド方向の一方側に向けて付勢するバネ部材に連結され、
前記他端側が、該他端側からスライド方向の他方側に向かって延出するように配設された延出部材に連結され、
前記延出部材をスライド方向の他方側に向かって進退させ、前記スライド部材をスライドさせるように構成されている、
ことを特徴とする請求項１に記載のピアノのペダル装置。
【請求項４】
前記スライド部材のスライドを係止させるための係止手段を備える、
ことを特徴とする請求項１乃至請求項３の何れか記載のピアノのペダル装置。
【請求項５】
前記レバースプリングの一端に前記ペダルレバーの軸方向に回転する回転体が連結され、該回転体を介して該レバースプリングが前記ピアノ本体に当接している、
ことを特徴とする請求項１乃至請求項４の何れか記載のピアノのペダル装置。
【発明の詳細な説明】
【技術分野】
【０００１】
本発明は、演奏者の踏み込み動作に伴ってピアノの発音制御装置を作動させるピアノのペダル装置に関する。
【背景技術】
【０００２】
従来、ピアノにおいては、演奏効果を高めるために、演奏者のペダルの踏み込み動作によって発音制御装置を作動させるペダル装置が備えられている。
ピアノのペダル装置は、軸方向の一端側又は中間側がピアノ本体に支持された回転軸に回転自在に係合し、他端側がピアノの上下方向に揺動するペダルレバーと、ペダルレバーの他端側に連結され、演奏者の踏み込み動作によりペダルレバーの他端側を上方向に揺動させるペダルと、演奏者の踏み込み動作に抗する荷重をペダルレバーに加えるように、ペダルレバーとピアノ本体との間に配設されたレバースプリングとを備え、演奏者のペダルの踏み込み動作に伴って、ペダルレバーを介し、レバースプリングの荷重がペダルに伝達される。
【０００３】
前述のようなピアノのペダル装置において、ペダルの踏み込み強さはペダルレバーの揺動する支点からレバースプリングの固定位置までの距離によって変化するので、演奏者が、好みのペダルの踏み込み強さを得ることができるように、レバースプリングの取り付け位置をペダルレバーの軸方向に沿って変更できるように構成したものがある。
【０００４】
例えば、ペダルレバーにその軸方向に延びる長孔を形成し、この長孔に対してレバースプリングの一端を固定した取り付け軸を挿通してネジ止めできるように構成し、取り付け軸の位置をこの長孔に沿って変更することによりレバースプリングの位置をペダルレバーの軸方向に沿って変更し、ペダルの踏み込み強さを調整できるように構成されたペダル装置がある（例えば、特許文献１参照）。
【特許文献１】特開２００１−４２８５９号公報（第２−３頁、第１−６図）
【発明の開示】
【発明が解決しようとする課題】
【０００５】
しかしながら、特許文献１のように、ペダルレバーの長孔にレバースプリングの一端を取り付けた取り付け軸を挿通してネジ止め固定できるように構成したペダル装置によれば、ペダルの踏み込み強さを調整する際には、レバースプリング及び取り付け軸の位置を長孔に沿って変更する毎にナットを締め付けたり緩めたりする作業が必要となり、且つ、この作業が演奏者の好みの踏み込み強さが得られるまで繰り返し行う必要があるので、その調整作業に手間がかかるという問題があった。
【０００６】
本発明は、こうした問題に鑑みなされたものであり、ペダルを踏み込む際の踏み込み強さを演奏者が容易に調整できるピアノのペダル装置を提供することを目的とする。
【課題を解決するための手段】
【０００７】
かかる目的を達成するためになされた請求項１記載のペダル装置は、軸方向の一端側又は中間部が、ピアノ本体に支持された回転軸に回動自在に係合し、軸方向の他端側がピアノの上下方向に揺動するペダルレバーと、該ペダルレバーの他端側に連結され、演奏者の踏み込み動作により該ペダルレバーの他端側を上方向に揺動させるペダルと、前記演奏者の踏み込み動作に抗する荷重を該ペダルレバーに加えるように該ペダルレバーと該ピアノ本体との間に装着されたレバースプリングと、を備え、前記演奏者の前記ペダルの踏み込み動作に伴って、前記ペダルレバーを介して、前記レバースプリングの荷重が前記ペダルに伝達されるピアノのペダル装置において、前記ペダルレバーの軸方向に沿って該ペダルレバーに設置されたスライドレールと、該スライドレールに沿ってスライド可能に、該スライドレールに係合されたスライド部材と、を備え、前記レバースプリングは、一端がペダルレバーの軸方向に沿ってスライド自在にピアノ本体に当接し、他端側が前記スライド部材に連結され、外部より操作され、前記スライド部材をスライドレールに沿ってスライドさせ、前記レバースプリングをペダルレバーの軸方向に移動させるためのスライド手段を備えることを特徴とする。
【０００８】
請求項１に記載のピアノのペダル装置によれば、ペダルレバーの軸方向に沿ってペダルレバーに設置されたスライドレールと、スライドレールに沿ってスライド可能に、スライドレールに係合されたスライド部材と、を備え、レバースプリングは、一端がペダルレバーの軸方向に沿ってスライド自在にピアノ本体に当接し、他端側がスライド部材に連結され、外部より操作され、スライド部材をスライドレールに沿ってスライドさせ、レバースプリングをペダルレバーの軸方向に移動させるためのスライド手段を備えているので、スライド部材をスライドレールに沿ってスライドさせることにより、容易にペダルの踏み込み強さを調整できる。つまり、スライド部材をスライドレールの軸方向に沿ってスライドさせることにより、ペダルレバーの揺動する支点となる回転軸からレバースプリングまでの距離が変化するので、ペダルの踏み込み強さを変えることができる。
【０００９】
また、本ピアノのペダル装置によれば、スライド部材がスライドレールに沿ってスライド可能に、スライドレールに設置されているので、レバースプリングの位置をペダルレバーの軸方向に沿って変更する際に、特許文献１のようにナットを締め付けたり緩めたりすることなく、スライド部材を介して容易にレバースプリングの位置をペダルレバーの軸方向に沿って変えることができ、特許文献１に記載したピアノのペダル装置に較べると、ペダルの踏み込み強さを演奏者が容易に調整できる。
【００１０】
次に、請求項２に記載の発明は、請求項１に記載のピアノのペダル装置において、前記スライド手段は、前記スライド部材に該スライド部材のスライド方向に貫通するように設けられた雌ネジ部と、前記スライドレールに沿って配設され、前記雌ネジに螺合する雄ネジが軸方向に沿って外周面に形成されて軸の両端が前記ペダルレバーに回転自在に支持された回転シャフトと、を備え、前記回転シャフトを回転させることによって、前記スライド部材をスライドさせるように構成されていることを特徴とする。
【００１１】
請求項２に記載のピアノのペダル装置によれば、スライド手段は、スライド部材にスライド部材のスライド方向に貫通するように設けられた雌ネジ部と、スライドレールに沿って配設され、雌ネジに螺合する雄ネジが軸方向に沿って外周面に形成されて軸の両端がペダルレバーに回転自在に支持された回転シャフトと、を備え、回転シャフトを回転させることによって、スライド部材をスライドさせるように構成されているので、回転シャフトを回転させてスライド部材をスライドレールに沿ってスライドさせ、レバースプリングの位置をペダルレバーの軸方向に沿って容易に移動させることができる。また、本ピアノのペダル装置によれば、回転シャフトを回転させる方向を逆にすることによりスライド部材のスライド方向を逆にすることができ、レバースプリングの移動方向を容易に変えることができる。
【００１２】
次に、請求項３に記載の発明は、請求項１に記載のピアノのペダル装置において、前記スライド手段は、前記一端側が、当該スライド部材をスライド方向の一方側に向けて付勢するバネ部材に連結され、前記他端側が、該他端側からスライド方向の他方側に向かって延出するように配設された延出部材に連結され、前記延出部材をスライド方向の他方側に向かって進退させ、前記スライド部材をスライドさせるように構成されていることを特徴とする。
【００１３】
請求項３に記載のピアノのペダル装置によれば、スライド手段は、一端側が、スライド部材をスライド方向の一方側に向けて付勢するバネ部材に連結され、他端側が、スライド方向の他方側に向かって延出された延出部材に連結され、延出部材をスライド方向の他方側に向かって進退させ、スライド部材をスライドさせるように構成されているので、延出部材を進退させてスライド部材をスライドレールに沿ってスライドさせ、レバースプリングの位置をペダルレバーの軸方向に沿って容易に移動させることができる。
【００１４】
また、請求項１乃至請求項３の何れかに記載のピアノのペダル装置は、請求項４に記載の発明のように、前記スライド部材のスライドを係止させるための係止手段を備えることにより、スライド部材を所定の位置でスライドレールに安定して係止できる。
【００１５】
また、請求項１乃至請求項４の何れか記載のピアノのペダル装置は、請求項５に記載の発明のように、前記レバースプリングの一端に前記ペダルレバーの軸方向に回転する回転体が連結され、該回転体を介して該レバースプリングが前記ピアノ本体に当接していることにより、レバースプリングをピアノ本体に対してスムーズにスライドできる。
【発明を実施するための最良の形態】
【００１６】
以下、本発明の一実施例を図面と共に説明する。
【実施例１】
【００１７】
まず、図１〜図３を用いて、本発明が適用されたピアノのペダル装置の実施例１を説明する。図１は、本発明のピアノのペダル装置が適用された実施例１の、グランドピアノのペダル装置の構成を表す外観斜視図、図２は図１におけるＰ−Ｐ断面図、図３は図１におけるＱ−Ｑ断面である。
【００１８】
図１に表したように、ペダル装置１は、棚板２の下方に配置され、軸方向（図１中のＸ方向）の一端側５ａが棚板（所謂、ピアノ本体である）２に固定されたブラケット３に回転軸４を介して回動自在に係合し、軸方向（図１中のＸ方向）の他端側５ｂがピアノの上下方向に揺動するペダルレバー５、ペダルレバー５の他端側５ｂに連結棒６を介して連結され、底板７に固定された支持具８に回転軸９を介して回動自在に係合するペダル１０、ペダルレバー５と棚板２との間に装着され、ペダルレバー５を下方向に付勢するレバースプリング１１、軸の下端がペダルレバー５に固定され、軸が棚板２を貫通して下方から上方に延びる突揚棒１２等を備えている。
【００１９】
ペダル装置１は、演奏者がペダル１０の前方側の踏み込み部１０ａを図１中のＡ方向に踏み込むと、ペダル１０が回転軸９を介して図１中のＢ方向に回動し、連結棒６を介してこの動作がペダル１０からペダルレバー５に伝わり、ペダルレバー５が回転軸４を支点に図１中のＣ方向に揺動して突揚棒１２をＤ方向に上昇させる。
【００２０】
一方、ペダル装置１は、演奏者がペダル１０の踏み込み動作を解除すると、レバースプリング１１の復帰力によって、ペダルレバー５が回転軸４を支点にＣ方向の逆に揺動して突揚棒１２をＤ方向と逆に下降させ、連結棒６を介してこの動作がペダルレバー５からペダル１０に伝わり、ペダル１０が回転軸９を介して図１中のＡ方向と逆に回動し、元の位置にもどる（ペダルの踏み込み部１０ａが上方向に戻る）。
【００２１】
次に、ペダル装置１には、演奏者がペダル１０の踏み込み強さを調整できるように、外部より操作され、レバースプリング１１の位置をペダルレバー５の軸方向（図１中のＸ方向である）に移動させるスライド機構を備えている。尚、本発明のスライド手段は、スライド機構によって、その機能が発現する。
【００２２】
ペダル装置１におけるスライド機構は、図１〜図３に表したように、ペダルレバー５の軸方向に沿ってペダルレバー５に設置されたスライドレール１４、スライドレール１４に沿ってスライド可能にスライドレール１４に係合され、スライド方向（図１、図３中のＸ方向である）に貫通するように雌ネジ（図２中の符合１５ａである）が設けられたスライド部材１５、軸方向に沿って雄ネジ１６ａが形成され、雄ネジ１６ａがスライド部材１５の雌ネジ（図２中の符合１５ａである）に螺合し、軸の両端がペダルレバー５の支持部５ｃ、５ｄに回転自在に支持された回転シャフト１６、支持部５ｃの外側に配設され回転シャフト１６の先端が接合された回転操作ツマミ等１７等によって構成されている。
【００２３】
また、図３に表したように、支持部５ｃには、回転操作ツマミ１７との当接面５ｅに、回転操作ツマミ１７の回転方向に沿って複数の凹部５ｆが所定間隔で形成され、回転操作ツマミ１７には、所定量回転する毎に凹部５ｆに係合する突起１７ａが形成されている。
【００２４】
次に、図２に表したように、スライドレール１４は、底板１４ａ、底板１４ａの縁端から上方に折り曲げられた側壁１４ｂ、１４ｃ、側壁１４ｂ、１４ｃの上端から内側に向けて折り曲げられた上板１４ｄ、１４ｅによって構成されている。そして、スライドレール１４の内方には、スライド部材１５がスライドレール１４に沿ってスライド可能にスライドレール１４に係合されている。
【００２５】
また、図１に表したように、スライドレール１４の側壁１４ｂ、１４ｃには、スライド部材１５のスライド方向に沿って、スライド溝１４ｆが形成され、スライド部材１５に接合されたスライド棒１３がスライド溝１４ｆにスライド可能に係合している。
【００２６】
次に、図２、図３に表したように、レバースプリング１１は、一端が支持具１９に接合され、他端側がスライド部材１５に連結されている。また、支持具１９には、回転体１８が、支持具１９に支持された回転軸２０を介してペダルレバー５の軸方向に回転可能に連結されている。そして、レバースプリング１１は、回転体１８を介して一端が棚板２に当接している。
【００２７】
また、棚板２の下面には回転体１８の周面が挿入される凹溝２ａがペダルレバー５の軸方向に沿って形成され、回転体１８が凹溝２ａに沿って回転するように構成されている。
次に、前述のように構成されたペダル装置１において、レバースプリング１１をペダルレバー５の軸方向に移動させ、ペダルの踏み込み強さを調整する際の動作を説明する。
【００２８】
まず、回転操作ツマミ１７を時計回りに回転させると、回転シャフト１６が支持部５ｃ、５ｄに対して時計回りに回転するとともにスライド部材１５に対して回転し、回転シャフト１６の雄ネジ１６ａとスライド部材１５の雌ネジ１５ａとの螺合によって、スライド部材１５が回転軸４から離れるように、スライドレール１４に対して図１中のＸ１方向にスライドし、レバースプリング１１の一端側に連結された回転体１８が棚板２に対して回転しながらレバースプリング１１がスライド部材１５と共にペダル１０側に移動する。これによって、レバースプリング１１の位置が、ペダルレバー５が揺動する支点となる回転軸４から離れるように移動するので、レバースプリング１１から受けるペダル１０の踏み込み動作に抗する荷重が強くなる。
【００２９】
一方、回転操作ツマミ１７を反時計回りに回転させると、回転シャフト１６が支持部５ｃ、５ｄに対して反時計回りに回転するとともにスライド部材１５に対して回転し、回転シャフト１６の雄ネジ１６ａとスライド部材１５の雌ネジ１５ａとの螺合によって、スライド部材１５が回転軸４に近づくようにスライドレール１４に対して図１中のＸ２方向にスライドし、レバースプリング１１の一端側に連結された回転体１８が棚板２に対して回転しながらレバースプリング１１がスライド部材１５と共に回転軸４側に移動する。これによって、レバースプリング１１の位置が、ペダルレバー５が揺動する支点となる回転軸４に近づくように移動するので、ペダルレバー５の踏み込み動作に抗する荷重が弱くなる。
【００３０】
尚、前述したように、回転操作ツマミ１７には支持部５ｃの外面に形成された凹部５ｆ係合する突起１７ａが形成されているので、スライド部材１５をスライドレール１４に係止させる（所謂、スライド方向に係止させる）際には、回転操作ツマミ１７の突起１７ａを凹部５ｆに係合させ、回転シャフト１６の回転を係止させればよい。尚、本発明の係止手段は、回転操作ツマミ１７の突起１７ａ、支持部５ｃに形成された凹部５ｆによって、その機能が発現する。
【００３１】
以下に、前記の構成を有する実施例１の、ピアノのペダル装置１の作用効果を記載する。
実施例１に記載のピアノのペダル装置１によれば、ペダルレバー５の軸方向に沿ってペダルレバー５に設置されたスライドレール１４と、スライドレール１４に沿ってスライド可能にスライドレール１４に係合されたスライド部材１５とを備え、レバースプリング１１の一端が回転体１８を介してスライド可能に棚板２に当接し、レバースプリング１１の他端側がスライド部材１５に連結され、外部から操作され、スライド部材１５をスライドレール１４に沿ってスライドさせ、レバースプリング１１をペダルレバー５の軸方向に移動させるスライド機構を備えているので、スライド部材１５をスライドレール１４に沿ってスライドさせることにより、容易にペダル１０の踏み込み強さを調整できる。
【００３２】
また、実施例１に記載のピアノのペダル装置１によれば、回転操作ツマミ１７を回転させると、回転シャフト１６がスライド部材１５に対して回転し、回転シャフト１６の雄ネジ１６ａとスライド部材１５の雌ネジ１５ａとの螺合によって、スライド部材１５がスライドレール１４に対してスライドし、レバースプリング１１の一端側に連結された回転体１８が棚板２に対して回転しながらレバースプリング１１がスライド部材１５と共にペダルレバー５の軸方向に移動するので、レバースプリング１１を容易にペダルレバー５の軸方向に移動させることができ、ペダル１０の踏み込み強さを調整できる。
【００３３】
また、本ピアノのペダル装置１によれば、回転シャフト１６を回転させる方向を逆にすることによりスライド部材１５のスライド方向を逆にすることができ、レバースプリング１１の移動方向を容易に変えることができる。
【００３４】
また、実施例１に記載のピアノのペダル装置１によれば、レバースプリングの一端には棚板２に当接して回転可能な回転体１８が連結されているので、レバースプリング１１を棚板２に対してスムーズに移動できる。
【実施例２】
【００３５】
次に、図４、図５を用いて、本発明が適用されたピアノのペダル装置の実施例２を説明する。図４は、本発明のピアノのペダル装置が適用された実施例２の、グランドピアノのペダル装置の構成を表す外観斜視図、図５は図４におけるＳ部詳細図である。尚、本実施例３におけるピアノのペダル装置２１は、基本的に実施例１で表したピアノのペダル装置１と同じ構成なので詳細な説明を省き、特徴となる部分について説明する。
【００３６】
図４に表したように、ペダル装置２１は、実施例１と同じように、軸方向（図４中のＸ方向）の一端側５ａブラケット３に回転軸４を介して回動自在に係合し、軸方向の他端側５ｂがピアノの上下方向に揺動するペダルレバー５、ペダルレバー５の他端側５ｂに連結棒６を介して連結され、底板７に固定された支持具８に回転軸９を介して回動自在に係合するペダル１０、ペダルレバー５と棚板２との間に装着され、ペダルレバー５に下方向に伏勢する荷重を加えるレバースプリング１１、軸の下端がペダルレバー５に固定され、軸が棚板２を貫通して下方から上方に延びる突揚棒１２等を備えている。
【００３７】
次に、図４に表したように、ペダル装置２１のスライド機構は、ペダルレバー５の軸方向（、図４中のＸ方向）に沿って設置されたスライドレール１４、スライドレール１４に係合しスライドレール１４に沿ってスライド可能に設置されスライド部材２２、スライド部材２２の一端側に連結され、スライド部材２２をスライド方向の一方側（Ｘ２方向側）に向けて付勢するコイルバネ（所謂、本発明のバネ部材である）２３、スライド部材２２の他端側に連結され、スライド方向の他方側（Ｘ１方向側）に向けて延出するように配設されたワイヤ（所謂、本発明の延出部材である）２５によって構成されている。
【００３８】
また、ワイヤ２５は、固定部材２６を介して棚板２に固定されたチューブ２７に収納されており、チューブ２７の他端に設けられた操作レバー（図示せず）を操作して所定量索引できるようにされている。そして、操作レバーを操作し、ワイヤ２５を図４中のＸ１側に向かって引いたり戻したりする（ワイヤ２５を進退させる）ことによって、スライド部材２２をスライドレール１４に沿ってスライドさせるように構成されている。また、操作レバーは、その操作方向に所定量操作する毎に、棚板２に対して係止できるように構成されている。
【００３９】
また、図５に表したように、スライドレール１４の側壁１４ｂ、１４ｃには、スライド部材２２のスライド方向に沿って、スライド溝１４ｆが形成され、スライド部材２２に接合されたスライド棒１３がスライド溝１４ｆに沿ってスライド可能に係合している。また、スライド溝１４ｆの内周の下面には、スライド棒１３の周面が係合する係止溝１４ｊがスライド溝１４ｆに沿って所定間隔を有し複数形成され、スライド部材２２をスライドレール１４に対して所定量スライドする毎に、スライド棒１３の周面が係止溝１４ｊに係合し、スライド部材２２をスライドレール１４に係止できるように構成されている。
【００４０】
次に、前述のように構成されたペダル装置２１において、スライド部材２２をペダルレバー５の軸方向に移動させ、ペダルの踏み込み強さを調整する際の動作を説明する。
操作レバー（図示せず）を操作してワイヤ２５を索引すると、スライド部材２２が回転軸４から離れるようにスライドレール１４に対して図４中のＸ１方向にスライドし、実施例１と同じようにレバースプリング１１の一端側に連結された回転体１８が棚板２との当接面に対して回転しながら、レバースプリング１１がスライド部材２２と共にペダル１０側に移動する。これによって、レバースプリング１１の位置が、ペダルレバー５が揺動する支点となる回転軸４から離れるように移動するので、レバースプリング１１から受けるペダル１０の踏み込み動作に抗する荷重が強くなる。
【００４１】
一方、操作レバー（図示せず）を操作してワイヤ２５を索引する前の方向に戻すと、コイルバネ２３の付勢力によってスライド部材２２が回転軸４に近づくように図４中のＸ２方向にスライドし、実施例１と同じようにレバースプリング１１の一端側に連結された回転体１８が棚板２との当接面に対して回転しながら、レバースプリング１１がスライド部材２２と共に、回転軸４側に移動する。これによって、レバースプリング１１の位置が、ペダルレバー５が揺動する支点となる回転軸４に近づくように移動するので、この移動に伴って、レバースプリング１１から受けるペダル１０の踏み込み動作に抗する荷重が弱くなる。
【００４２】
尚、操作レバーは、前述したように、その操作方向に所定量操作する毎に、棚板２に対して係止できるように構成されているので、スライド部材２２をスライドレール１４に係止させる際には、操作レバーを棚板２に対して係止させればよい。また、スライド部材２２をスライドレール１４に係止する際に、係止溝１４ｊにスライド棒１３の周面が係合する位置で係止させれば、安定して係止できる。尚、本発明の係止手段は、係止溝１４ｊ、スライド棒１３、図示されない操作レバー等によって、その機能が発現する。
【００４３】
以下に、前記の構成を有する実施例２の、ピアノのペダル装置の作用効果を記載する。
実施例２に記載のピアノのペダル装置２１によれば、スライド部材２２の一端側が、スライド部材２２をスライド方向の一方側に向けて付勢するコイルバネ２３に連結され、スライド部材２２の他端側が、他端側からスライド方向の他方側に向けて延出するように配設されたワイヤに連結され、ワイヤ２５を引いたり戻したりすることによって、スライド部材２２をスライドさせるように構成されているので、レバースプリング１１の位置をペダルレバー５の軸方向に沿って容易に移動させることができる。
【００４４】
また、実施例２に記載のピアノのペダル装置２１によれば、スライドレール１４にスライド部材２２に接合されたスライド棒１３の周面が係合する係止溝１４ｊを、複数備えたので、スライド部材２２をスライドレール１４に係止する際に、係止溝１４ｊにスライド棒１３の周面が係合する位置で係止させれば、安定して係止できる。
【実施例３】
【００４５】
次に、図６を用いて、本発明が適用されたピアノのペダル装置の実施例３について説明する。図６は、本発明のピアノのペダル装置が適用された実施例３の、アップライトピアノのペダル装置の構成を表す外観斜視図、尚、本実施例３におけるピアノのペダル装置３１は、基本的に実施例１で表したピアノのペダル装置と同じ構成なので詳細な説明を省き、特徴となる部分について説明する。また、図６は、ペダルレバー３５の内部構造を説明するために、軸方向の中間部の上面を破断して表している。
【００４６】
図６に表したように、ペダル装置３１は、底板７の上方に配置され、軸方向（図６中のＸ方向）の中間部３５ｃが底板（所謂、ピアノ本体である）７に固定されたブラケット３３に回転軸３４を介して回動自在に係合し、軸方向（図６中のＸ方向）の他端側３５ｂがピアノの上下方向に揺動するペダルレバー３５、ペダルレバー３５の他端側３５ｂに連結棒３６を介して連結され、底板７に固定された支持具３８に回転軸３９を介して回動自在に係合するペダル４０、ペダルレバー３５と底板７との間に装着され、ペダルレバー３５を上方向に伏勢するレバースプリング４１、回転軸３４を介してペダル４０に対向する位置に配設され、軸の下端がペダルレバー３５に固定されるとともに、軸が棚板２を貫通して下方から上方に延びる突揚棒１２等を備えている。
【００４７】
ペダル装置３１は、演奏者がペダル４０の前方側のペダル踏み込み部４０ａを図６中のＡ方向に踏み込むと、ペダル４０が回転軸９を介して図６中のＦ方向に回動し、この動作が連結棒６を介してペダル４０からペダルレバー３５に伝わり、ペダルレバー３５の一端側３５ａが回転軸３４を支点に図６中のＧ方向に揺動して突揚棒１２をＤ方向に上昇させる。
【００４８】
一方、ペダル装置３１は、演奏者がペダル４０の踏み込み動作を解除すると、レバースプリング４１の復帰力によって、ペダルレバー５の一端側３５ａが回転軸３４を支点にＧ方向の逆に揺動して突揚棒１２を下降させ、連結棒６を介してこの動作がペダルレバー３５からペダル４０に伝わり、ペダル４０が回転軸３４を介して図６中のＦ方向と逆に回動し、元の位置にもどる（ペダルの踏み込み部４０ａが上方向に戻る）。
【００４９】
次に、ペダル装置３１には、演奏者がペダル４０の踏み込み強さを調整できるように、外部より操作され、レバースプリング１１の位置をペダルレバー３５の軸方向（図６中のＸ方向）に移動させるスライド機構を備えている。尚、本発明のスライド手段は、スライド機構によって、その機能が発現する。
【００５０】
図６に表したように、ペダル装置３１のスライド機構は、スライド部材１５が係合してスライドするスライドレール４４がペダルレバー３５に一体に形成されている。スライドレール４４は、ペダルレバー３５の下方に形成された開口孔３５ｄと、側壁４４ｂ、４４ｃによって構成され、開口孔３５ａ内に、スライド部材１５がスライドレール４４に沿ってスライド可能に係合している。また、側壁４５ｂ、４５ｃには、スライド部材１５のスライド方向（図６中のＸ方向）に沿って、スライド溝４４ｆが形成され、スライド部材４５に接合されたスライド棒１３がスライド溝４４ｆにスライド可能に係合している。
【００５１】
また、実施例１のペダル装置１と同じように、回転シャフト１６が、スライド部材１５に貫通するように形成された雌ネジに螺合し、軸の両端がペダルレバー３５に回転自在に支持されている。
【００５２】
また、レバースプリング４１は、下方向に位置する一端が底板７に形成された凹溝７ａ内の底面にスライド自在に当接し、上方向に位置する他端がスライド部材１５に係合されている。
【００５３】
次に、前述のように構成されたペダル装置３１において、スライド部材１５をペダルレバー５の軸方向に移動させ、ペダル４０の踏み込み強さを調整する際の動作を説明する。
まず、回転操作ツマミ１７を時計回りに回転させると、スライド部材１５が回転軸３４から離れるようにスライドレール４４に対して図６中のＸ１方向にスライドし、レバースプリング４１の一端側が底板７のスライド溝７ａの底面に対してスライドしながら、レバースプリング４１がスライド部材１５と共にペダル４０側に移動する。これによって、レバースプリング４１の位置が、ペダルレバー３５が揺動する支点となる回転軸３４から離れるように移動するので、レバースプリング４１から受けるペダル４０の踏み込み動作に抗する荷重が強くなる。
【００５４】
一方、回転操作ツマミ１７を反時計回りに回転させると、スライド部材１５が回転軸３４に近づくようにスライドレール４４に対して図６中のＸ２方向にスライドし、レバースプリング４１の一端側が底板７のスライド溝７ａの底面に対してスライドしながら、レバースプリング４１がスライド部材１５と共に、回転軸４側に移動する。これによって、レバースプリング４１の位置が、ペダルレバー３５が揺動する支点となる回転軸３４に近づくように移動するので、レバースプリング４１から受けるペダル４０の踏み込み動作に抗する荷重が弱くなる。
【００５５】
以下に、前記の構成を有する実施例３の、ピアノのペダル装置３１の作用効果を記載する。
実施例３に記載のピアノのペダル装置３１によれば、ペダルレバー３５の軸方向に沿ってペダルレバー３５設置されたスライドレール４４と、スライドレール４４に沿ってスライド可能にスライドレール４４に設置されたスライド部材１５とを備え、レバースプリング４１の一端がスライド自在に底板７に当接するとともに、レバースプリング４１の他端側がスライド部材１５に連結され、スライド部材１５をスライドレール４４に沿ってスライドさせ、レバースプリング４１をペダルレバー３５の軸方向に移動させるスライド機構を備えているので、スライド部材１５をスライドレール４４に沿ってスライドさせることにより、容易にペダル４０の踏み込み強さを調整できる。
【００５６】
また、実施例３に記載のピアノのペダル装置３１によれば、スライドレール４４がペダルレバー３５と一体に形成されているので、スライドレール４４を備えるための部品点数が増えることがなく、生産性を向上できる。
【００５７】
以上、本発明の実施例について説明したが、本発明は、上述した実施例に限定されることなく、種々の態様をとることができる。
例えば、実施例１〜実施例３において、連結棒１３をスライド部材１５、２２に接合し、連結棒１３がスライド溝１４ｆ、４４ｆにスライドするように構成したが、連結棒１３をスライド部材１５、２２に回転自在に係合し、連結棒１３が回転しながらスライド部材１５、２２がスライドレール１４、４４にスライドするように構成してもよい。
【００５８】
また、実施例１〜実施例３において、コイル状のバネを用いてレバースプリング１１を構成したが、板バネを用いてもよい。
【図面の簡単な説明】
【００５９】
【図１】本発明のピアノのペダル装置が適用された実施例１の、グランドピアノのペダル装置の構成を表す外観斜視図である。
【図２】図１におけるＰ−Ｐ断面図である。
【図３】図１におけるＱ−Ｑ断面である。
【図４】本発明のピアノのペダル装置が適用された実施例２の、グランドピアノのペダル装置の構成を表す外観斜視図である。
【図５】図４におけるＳ部詳細図である。
【図６】本発明のピアノのペダル装置が適用された実施例３の、アップライトピアノのペダル装置の構成を表す外観斜視図である。
【符号の説明】
【００６０】
１，２１，３１…ペダル装置、２…棚板、２ａ，７ａ…凹溝、３，３３…ブラケット、４，３４，９，２０，３９…回転軸、５，３５…ペダルレバー、５ａ，３５ａ…一端側、５ｂ，３５ｂ…他端側、５ｃ，５ｄ…支持部、５ｅ…当接面、５ｆ…凹部、６，３６…連結棒、７…底板、８，３８…支持具、１０，４０…ペダル、１０ａ…踏み込み部、１１，４１…レバースプリング、１２…突揚棒、１３…スライド棒、１４,４４…スライドレール、１４ａ…底板、１４ｂ，１４ｃ…側壁、１４ｄ，１４ｅ…上板、１４ｆ，４４ｆ…スライド溝、１４ｊ…係止溝、１５，２２…スライド部材、１５ａ…雌ネジ、１６…回転シャフト、１６ａ…雄ネジ、１７…回転操作ツマミ、１７ａ…突起、１８…回転体、１９…支持具、２３…コイルバネ（バネ部材）、２５…ワイヤ（延出部材）、２６…固定部材、２７…チューブ、３５ｃ…中間部、３５ｄ…開口孔。
【図１】
2005107107.tif 000003
【図２】
2005107107.tif 000004
【図３】
2005107107.tif 000005
【図４】
2005107107.tif 000006
【図５】
2005107107.tif 000007
【図６】
2005107107.tif 000008